(57)【要約】【課題】端子台本体部に接続される端子を内部電気機器の内部電気機器用端子から他の電気機器の端子に交換する際の作業が煩雑化するのを抑制することが可能な端子台を提供する。【解決手段】この端子台１０は、インバータ装置２０（装置、電力変換装置）の筐体２１内に収納されている回生抵抗器２２（内部電気機器）から延びる配線２２ａ（内部電気機器用配線）に設けられる圧着端子２２ｂ（内部電気機器用端子）が接続可能に構成され、インバータ装置２０に設けられた端子台本体部１１を備える。また、端子台１０は、端子台本体部１１とは別個にインバータ装置２０に設けられ、筐体２１とにより圧着端子２２ｂを挟み込むことによって圧着端子２２ｂを固定する、弾性変形可能な端子固定部１２を備える。【選択図】図１
2020149809.tif 000002
【特許請求の範囲】
【請求項１】
装置の筐体内に収納されている内部電気機器から延びる内部電気機器用配線に設けられる内部電気機器用端子が接続可能に構成され、前記装置に設けられた端子台本体部と、
前記端子台本体部とは別個に前記装置に設けられ、前記筐体とにより前記内部電気機器用端子を挟み込むことによって前記内部電気機器用端子を固定する、弾性変形可能な端子固定部と、を備える、端子台。
【請求項２】
前記端子固定部は、前記筐体に含まれる導電体に設けられる、接地電位に固定されている接地面とにより前記内部電気機器用端子を挟み込むことにより、前記内部電気機器用端子を固定するように構成されている、請求項１に記載の端子台。
【請求項３】
前記端子固定部は、前記接地面とにより前記内部電気機器用端子を挟み込む固定部分と、前記固定部分から前記端子固定部の先端側に向かって、前記接地面と離間する方向に傾斜するように延びるとともに前記内部電気機器用端子をガイドするガイド部分と、を有する、請求項２に記載の端子台。
【請求項４】
前記端子固定部と一体的に形成されている端子固定部本体部をさらに備え、
前記端子固定部は、前記端子固定部本体部から複数に分岐されるとともに分岐された部分の各々に、前記固定部分および前記ガイド部分が設けられている、請求項３に記載の端子台。
【請求項５】
前記固定部分の前記接地面側には、前記内部電気機器用端子に設けられた孔部に係合される端子固定部側突起部が設けられている、請求項３または４に記載の端子台。
【請求項６】
前記接地面から前記端子固定部側に突出するように設けられる接地面側突起部が、前記内部電気機器用端子に設けられた孔部に係合された状態で、前記端子固定部は、前記接地面とにより前記内部電気機器用端子を挟み込むように構成されている、請求項２〜４のいずれか１項に記載の端子台。
【請求項７】
前記接地面側突起部が前記内部電気機器用端子の前記孔部に係合されるとともに、前記接地面において前記接地面側突起部を取り囲むように設けられる凹部に前記内部電気機器用端子が配置され、前記凹部のうちの少なくとも一部により前記内部電気機器用端子が位置決めされた状態で、前記端子固定部は、前記接地面とにより前記内部電気機器用端子を挟み込むように構成されている、請求項６に記載の端子台。
【請求項８】
前記端子固定部は、絶縁性の樹脂により形成されている、請求項１〜７のいずれか１項に記載の端子台。
【請求項９】
筐体と、
前記筐体に収納されている電力変換用の内部電気機器と、
前記内部電気機器から延びる内部電気機器用配線に設けられる内部電気機器用端子が接続可能に構成される端子台本体部と、
前記端子台本体部とは別個に設けられ、前記筐体とにより前記内部電気機器用端子を挟み込むことによって前記内部電気機器用端子を固定する、弾性変形可能な端子固定部と、を備える、電力変換装置。
【請求項１０】
前記筐体は、接地電位に固定されている接地面が設けられる導電体を含み、
前記接地面には、前記端子固定部側に突出するとともに、前記内部電気機器用端子に設けられた孔部に係合される接地面側突起部が設けられている、請求項９に記載の電力変換装置。
【請求項１１】
前記接地面には、前記接地面側突起部を取り囲むように設けられる凹部が設けられ、
前記凹部は、前記内部電気機器用端子が前記凹部に配置されるとともに前記孔部が前記接地面側突起部に係合された状態で、前記凹部のうちの少なくとも一部により前記内部電気機器用端子を位置決めするように構成されている、請求項１０に記載の電力変換装置。
【発明の詳細な説明】
【技術分野】
【０００１】
この発明は、端子台および電力変換装置に関し、特に、装置の筐体に収納される内部電気機器の配線に設けられる端子が接続可能な端子台本体部を備える端子台および電力変換装置に関する。
【背景技術】
【０００２】
従来、装置の筐体に収納される内部電気機器の配線に設けられる端子が接続可能な端子台本体部を備える端子台および電力変換装置が知られている（たとえば、特許文献１参照）。
【０００３】
上記特許文献１には、インバータ装置に搭載されている主回路端子台が記載されている。主回路端子台は、インバータ装置のケースに組み付けられている。また、主回路端子台は、ケース内部に収納された主回路基板および制御回路基板に接続されているとともに外部の電線と配線されている。
【先行技術文献】
【特許文献】
【０００４】
【特許文献１】特開２０１４−２２０５４号公報
【発明の概要】
【発明が解決しようとする課題】
【０００５】
ここで、上記特許文献１には明記されていないが、装置（上記特許文献１ではインバータ装置）の筐体（ケース）に収納された内部電気機器（たとえば回生抵抗器およびリアクトルなど）から延びる配線に設けられている端子が主回路端子台に接続されている場合がある。この場合において、たとえば回生抵抗器の抵抗値の変更およびリアクトルのインダクタンスを変更するために内部電気機器の端子を主回路端子台から取り外すとともに、上記内部電気機器とは異なる他の電気機器に設けられる端子を主回路端子台に接続する場合がある。この際、内部電気機器に設けられる端子が、装置の活電部（装置内の電流が流れている部分）に接触することに起因して装置に不具合が生じることを防止するために、たとえば端子に絶縁性のテープを巻き付けたり、端子をねじ等により固定することが考えられる。この場合、内部電気機器の端子に絶縁性のテープを巻き付けたり、内部電気機器の端子をねじ等により固定するなどの作業が必要となる。このため、主回路端子台に接続する端子を他の電気機器の端子に交換する作業が煩雑化するのを抑制することが可能な端子台および電力変換装置が望まれている。
【０００６】
この発明は、上記のような課題を解決するためになされたものであり、この発明の１つの目的は、端子台本体部に接続される端子を内部電気機器の内部電気機器用端子から他の電気機器の端子に交換する際の作業が煩雑化するのを抑制することが可能な端子台および電力変換装置を提供することである。
【課題を解決するための手段】
【０００７】
上記目的を達成するために、この発明の第１の局面による端子台は、装置の筐体内に収納されている内部電気機器から延びる内部電気機器用配線に設けられる内部電気機器用端子が接続可能に構成され、装置に設けられた端子台本体部と、端子台本体部とは別個に装置に設けられ、筐体とにより内部電気機器用端子を挟み込むことによって内部電気機器用端子を固定する、弾性変形可能な端子固定部と、を備える。
【０００８】
この発明の第１の局面による端子台では、上記のように、端子台本体部とは別個に装置に設けられた端子固定部が備えられることにより、内部電気機器とは異なる電気機器の端子を端子台本体部に接続させる場合に、端子台本体部から取り外された内部電気機器用端子が、装置の活電部に接触しないように内部電気機器用端子を端子固定部により固定することができる。また、端子固定部を弾性変形させることによって筐体と端子固定部とにより内部電気機器用端子を挟み込むだけで、内部電気機器用端子を固定することができる。これにより、内部電気機器用端子と上記活電部との接触を防止するために、内部電気機器用端子に絶縁性のテープを巻き付けたり、内部電気機器用端子をねじ固定する場合に比べて、作業を簡素化することができる。その結果、端子台本体部に接続される端子を内部電気機器の内部電気機器用端子から他の電気機器の端子に交換する際の作業が煩雑化するのを抑制することができる。
【０００９】
上記第１の局面による端子台において、好ましくは、端子固定部は、筐体に含まれる導電体に設けられる、接地電位に固定されている接地面とにより内部電気機器用端子を挟み込むことにより、内部電気機器用端子を固定するように構成されている。このように構成すれば、内部電気機器用端子の電位を接地電位に固定しながら、端子固定部により内部電気機器用端子を固定することができる。
【００１０】
この場合、好ましくは、端子固定部は、接地面とにより内部電気機器用端子を挟み込む固定部分と、固定部分から端子固定部の先端側に向かって、接地面と離間する方向に傾斜するように延びるとともに内部電気機器用端子をガイドするガイド部分と、を有する。このように構成すれば、ガイド部分により、固定部分と接地面との間に内部電気機器用端子を挿入する作業を容易化することができる。
【００１１】
上記端子固定部が固定部分およびガイド部分を有する端子台において、好ましくは、端子固定部と一体的に形成されている端子固定部本体部をさらに備え、端子固定部は、端子固定部本体部から複数に分岐されるとともに分岐された部分の各々に、固定部分およびガイド部分が設けられている。このように構成すれば、複数の内部電気機器用端子を、分岐された部分の各々に設けられる固定部分により固定することができる。また、分岐された部分の各々に設けられるガイド部分により、各々の固定部分と接地面との間に内部電気機器用端子を挿入する作業を容易化することができる。
【００１２】
また、固定部分と接地面との間に挿入するだけで内部電気機器用端子を容易に固定することができるので、内部電気機器用端子に絶縁テープを巻き付けたり、内部電気機器用端子をねじにより固定する場合等に比べて、ユーザは、複数の内部電気機器用端子を把持した状態で作業を容易に行うことができる。その結果、ユーザの作業時間を短縮することができる。
【００１３】
上記端子固定部が固定部分およびガイド部分を有する端子台において、好ましくは、固定部分の接地面側には、内部電気機器用端子に設けられた孔部に係合される端子固定部側突起部が設けられている。このように構成すれば、端子固定部側突起部との係合により内部電気機器用端子の移動が規制されるので、端子固定部側突起部が設けられていない場合に比べて、内部電気機器用端子をより安定的に固定することができる。
【００１４】
上記端子固定部が接地面とにより内部電気機器用端子を挟み込む端子台において、好ましくは、接地面から端子固定部側に突出するように設けられる接地面側突起部が、内部電気機器用端子に設けられた孔部に係合された状態で、端子固定部は、接地面とにより内部電気機器用端子を挟み込むように構成されている。このように構成すれば、接地面側突起部に対する内部電気機器用端子の孔部の係合により、内部電気機器用端子の移動が規制されるので、接地面側突起部が設けられていない場合に比べて、内部電気機器用端子をより安定的に固定することができる。
【００１５】
この場合、好ましくは、接地面側突起部が内部電気機器用端子の孔部に係合されるとともに、接地面において接地面側突起部を取り囲むように設けられる凹部に内部電気機器用端子が配置され、凹部のうちの少なくとも一部により内部電気機器用端子が位置決めされた状態で、端子固定部は、接地面とにより内部電気機器用端子を挟み込むように構成されている。このように構成すれば、接地面側突起部および凹部の両方により内部電気機器用端子の移動を規制することができるので、内部電気機器用端子をより一層安定的に固定することができる。
【００１６】
上記第１の局面による端子台において、好ましくは、端子固定部は、絶縁性の樹脂により形成されている。このように構成すれば、端子固定部を介して、内部電気機器用端子から他の部分に電流が流れるのを抑制することができる。
【００１７】
また、内部電気機器用端子を端子固定部により固定することにより、内部電気機器用端子に絶縁テープを巻き付ける場合に比べて、作業者によるばらつきが生じるのを抑制することができるので、内部電気機器用端子の絶縁性にばらつきが生じるのを抑制することができる。
【００１８】
この発明の第２の局面による電力変換装置は、筐体と、筐体に収納されている電力変換用の内部電気機器と、内部電気機器から延びる内部電気機器用配線に設けられる内部電気機器用端子が接続可能に構成される端子台本体部と、端子台本体部とは別個に設けられ、筐体とにより内部電気機器用端子を挟み込むことによって内部電気機器用端子を固定する、弾性変形可能な端子固定部と、を備える。
【００１９】
この発明の第２の局面による電力変換装置は、上記のように、端子台本体部とは別個に装置に設けられた端子固定部が備えられることにより、内部電気機器とは異なる電気機器の端子を端子台本体部に接続させる場合に、端子台本体部から取り外された内部電気機器用端子が装置の活電部に接触しないように内部電気機器用端子を端子固定部により固定することができる。また、端子固定部を弾性変形させることによって筐体と端子固定部とにより内部電気機器用端子を挟み込むだけで、内部電気機器用端子を固定することができる。これにより、内部電気機器用端子と上記活電部との接触を防止するために、内部電気機器用端子に絶縁性のテープを巻き付けたり、内部電気機器用端子をねじ固定する場合に比べて、作業を簡素化することができる。その結果、端子台本体部に接続される端子を内部電気機器の内部電気機器用端子から他の電気機器の端子に交換する際の作業が煩雑化するのを抑制することが可能な電力変換装置を提供することができる。
【００２０】
上記第２の局面による電力変換装置において、好ましくは、筐体は、接地電位に固定されている接地面が設けられる導電体を含み、接地面には、端子固定部側に突出するとともに、内部電気機器用端子に設けられた孔部に係合される接地面側突起部が設けられている。このように構成すれば、接地面側突起部に対する内部電気機器用端子の孔部の係合により、内部電気機器用端子の移動が規制されるので、接地面側突起部が設けられていない電力変換装置に比べて、内部電気機器用端子がより安定的に固定される電力変換装置を提供することができる。
【００２１】
この場合、好ましくは、接地面には、接地面側突起部を取り囲むように設けられる凹部が設けられ、凹部は、内部電気機器用端子が凹部に配置されるとともに孔部が接地面側突起部に係合された状態で、凹部のうちの少なくとも一部により内部電気機器用端子を位置決めするように構成されている。このように構成すれば、接地面側突起部および凹部の両方により内部電気機器用端子の移動を規制することができるので、内部電気機器用端子をより一層安定的に固定することが可能な電力変換装置を提供することができる。
【発明の効果】
【００２２】
本発明によれば、上記のように、端子台本体部に接続される端子を内部電気機器の内部電気機器用端子から他の電気機器の端子に交換する際の作業が煩雑化するのを抑制することができる。
【図面の簡単な説明】
【００２３】
【図１】第１実施形態によるインバータ装置の斜視図である。
【図２】図１の部分拡大図である。
【図３】第１実施形態による端子台本体部および端子固定部の平面図である。
【図４】図２の２００−２００線に沿った断面図である。
【図５】第１実施形態による圧着端子および凹部の平面図である。
【図６】図４の部分拡大図である。
【図７】第１実施形態による圧着端子の端子固定部への取り付け方法を説明するための図である。
【図８】第１実施形態による圧着端子の端子固定部からの取り外し方法を説明するための図である。
【図９】第２実施形態による固定部分および凹部の近傍の拡大図である。
【発明を実施するための形態】
【００２４】
以下、本発明を具体化した実施形態を図面に基づいて説明する。
【００２５】
［第１実施形態］
図１〜図８を参照して、第１実施形態による端子台１０およびインバータ装置２０の構成について説明する。なお、インバータ装置２０は、特許請求の範囲の「装置」および「電力変換装置」の一例である。
【００２６】
（端子台およびインバータ装置の構成）
図１に示すように、インバータ装置２０には、端子台１０が備えられている。
【００２７】
インバータ装置２０は、箱型の筐体２１を備える。また、インバータ装置２０は、筐体２１に収納（内蔵）されている回生抵抗器２２を備える。回生抵抗器２２は、インバータ装置２０における電力変換用に設けられている。回生抵抗器２２からは、複数（第１実施形態では２つ）の配線２２ａが延びている。配線２２ａの端部には、圧着端子２２ｂが設けられている。なお、回生抵抗器２２は、特許請求の範囲の「内部電気機器」の一例である。また、配線２２ａおよび圧着端子２２ｂは、それぞれ、特許請求の範囲の「内部電気機器用配線」および「内部電気機器用端子」の一例である。
【００２８】
また、図２に示すように、端子台１０（インバータ装置２０）（図１参照）は、圧着端子２２ｂが接続可能に構成される端子台本体部１１を備える。端子台本体部１１には、端子（圧着端子２２ｂおよび後述する圧着端子１０１ｂ）をねじ固定するための複数の接続端子１１ａが設けられている。複数の接続端子１１ａは、筐体２１の上下方向（Ｚ方向）に延びる側面２１ａに沿って一列に（Ｘ方向に）並んで配置されている。
【００２９】
第１実施形態では、端子台本体部１１（接続端子１１ａ）には、筐体２１に収納されていない外部の回生抵抗器１０１（図１参照）から延びる配線１０１ａに設けられている圧着端子１０１ｂが接続されている。回生抵抗器１０１は、回生抵抗器２２とは異なる種類であってもよいし、同じ種類であってもよい。
【００３０】
また、図２では、圧着端子２２ｂは、接続端子１１ａから取り外されている。そして、複数の接続端子１１ａのうちの２つに、回生抵抗器１０１の圧着端子１０１ｂが接続されている。
【００３１】
また、端子台１０（インバータ装置２０）は、端子台本体部１１とは別個に設けられる端子固定部１２を備える。第１実施形態では、端子固定部１２は、複数（２つ）設けられている。また、端子固定部１２は、端子台本体部１１の下方（Ｚ２方向側）に設けられている。なお、端子固定部１２は、Ｘ方向側から見て略Ｊ字形状（図４参照）を有している。
【００３２】
また、端子固定部１２は、弾性変形可能に構成されている。具体的には、端子固定部１２は、筐体２１の内部側（Ｙ１方向側）および筐体２１の内部側と反対側（Ｙ２方向側）の各々に撓むように構成されている。
【００３３】
ここで、第１実施形態では、端子固定部１２は、絶縁性の樹脂により形成されている。具体的には、端子固定部１２は、ＰＰＥ（Ｐｏｌｙ  Ｐｈｅｎｙｌｅｎｅ  Ｅｔｈｅｒ）により形成されている。
【００３４】
また、端子台１０（インバータ装置２０）は、端子固定部１２と一体的に形成されている端子固定部本体部１３を備える。端子固定部本体部１３および端子固定部１２は、単一の板状部材により一体的に形成されている。すなわち、端子固定部本体部１３は、端子固定部１２と同様に、ＰＰＥにより形成されている。
【００３５】
また、図３に示すように、端子固定部本体部１３は、複数の接続端子１１ａが並ぶ方向（Ｘ方向）に沿って延びるように設けられている。具体的には、平面視において（Ｚ１方向側から見て）、端子固定部本体部１３は、複数の接続端子１１ａの列に対して筐体２１の内部側とは反対側（Ｙ２方向側）において、複数の接続端子１１ａの列に沿うように設けられている。
【００３６】
また、筐体２１には、放熱フィン２３ａ（図２参照）が下部（Ｚ２方向側）に取り付けられている放熱板２３を含む。放熱板２３は、接地電位に固定されている接地面２３ｂを含む。接地面２３ｂは、放熱板２３のうちの、放熱フィン２３ａが取り付けられている面（図示せず）とは反対側の面に含まれる。なお、放熱板２３は、特許請求の範囲の「導電体」の一例である。
【００３７】
また、接地面２３ｂは、側面２１ａ（図１参照）に対して水平方向に突出して延びるように設けられている。具体的には、接地面２３ｂは、側面２１ａよりも、筐体２１の内部側とは反対側（Ｙ２方向側）に突出している。また、接地面２３ｂは、側面２１ａと直交するように設けられている。
【００３８】
詳細には、端子台本体部１１は、側面２１ａに対して、筐体２１の内部側とは反対側（Ｙ２方向側）に突出する（図１参照）ように設けられている。また、図３に示すように、接地面２３ｂは、端子台本体部１１に対して、筐体２１の内部側とは反対側（Ｙ２方向側）に突出するように設けられている。
【００３９】
また、接地面２３ｂは、複数の端子固定部１２の下方（Ｚ２方向側）に設けられている。具体的には、平面視において（Ｚ１方向側から見て）、端子固定部１２は、接地面２３ｂとオーバラップするように設けられている。
【００４０】
ここで、第１実施形態では、図２および図３に示すように、端子固定部１２は、筐体２１とにより圧着端子２２ｂを挟み込むことによって圧着端子２２ｂを固定するように構成されている。すなわち、端子固定部１２は、回生抵抗器１０１に設けられている圧着端子１０１ｂが端子台本体部１１に接続されることにより端子台本体部１１から取り外された圧着端子２２ｂを固定するように構成されている。
【００４１】
具体的には、端子固定部１２は、接地面２３ｂとにより圧着端子２２ｂを挟み込むことによって圧着端子２２ｂを固定するように構成されている。言い換えれば、端子固定部１２は、端子固定部１２と接地面２３ｂとの間に挿入され、接地面２３ｂに配置された圧着端子２２ｂの移動を妨げる（抑制する）ように設けられている。
【００４２】
また、図４に示すように、端子固定部１２は、接地面２３ｂ（具体的には接地面２３ｂに設けられる後述する凹部２３ｆ）とにより圧着端子２２ｂを挟み込む固定部分１２ａを有する。固定部分１２ａは、接地面２３ｂに沿って水平方向に延びるように設けられている。また、固定部分１２ａは、後述する接続部分１２ｃから、筐体２１の内部側とは反対側（Ｙ２方向側）に突出するように設けられている。
【００４３】
また、端子固定部１２は、圧着端子２２ｂをガイドするガイド部分１２ｂを有する。具体的には、ガイド部分１２ｂは、圧着端子２２ｂの端子固定部１２への挿入、および、圧着端子２２ｂの端子固定部１２からの抜き出しをガイドするように構成されている。ガイド部分１２ｂは、端子固定部１２の先端１２ｄ側に向かって、接地面２３ｂとは離間する方向（Ｚ１方向側）に傾斜するように延びる。また、ガイド部分１２ｂは、固定部分１２ａから、筐体２１の内部側とは反対側（Ｙ２方向側）に突出するように設けられている。なお、ガイド部分１２ｂは、接地面２３ｂに対して角度θ（たとえば４５度）だけ傾斜している。
【００４４】
また、端子固定部１２は、固定部分１２ａと端子固定部本体部１３とを接続する接続部分１２ｃを含む、接続部分１２ｃは、上下方向（Ｚ方向）に延びるように設けられている。接続部分１２ｃは、上下方向において長さＬ１を有する。長さＬ１は、端子固定部１２（ガイド部分１２ｂ）の先端１２ｄの接地面２３ｂからの高さＨよりも大きい。
【００４５】
また、固定部分１２ａの、接続部分１２ｃからの突出長さＬ２は、ガイド部分１２ｂの、固定部分１２ａからの突出長さＬ３よりも大きい。この場合、端子固定部１２（ガイド部分１２ｂ）の先端１２ｄは、放熱板２３のＹ２方向側の端部２３０よりも、筐体２１の内部側に位置している。言い換えれば、平面視において（Ｚ１方向側から見て）、先端１２ｄを含むガイド部分１２ｂの全体は、接地面２３ｂとオーバラップしている。
【００４６】
また、第１実施形態では、図２および図３に示すように、端子固定部１２は、端子固定部本体部１３から複数に分岐されるように設けられている。そして、端子固定部本体部１３から複数に分岐された部分（端子固定部１２）の各々に、固定部分１２ａ（図３参照）およびガイド部分１２ｂ（図３参照）が設けられている。端子固定部本体部１３から複数に分岐された部分（端子固定部１２）の各々には、接続部分１２ｃも設けられている。また、端子固定部本体部１３から複数に分岐された端子固定部１２同士の間には、スリット部１２ｅ（図３参照）が設けられている。スリット部１２ｅは、互いに隣り合う端子固定部１２同士の、接続部分１２ｃ、固定部分１２ａ、および、ガイド部分１２ｂの各々の間に設けられる。
【００４７】
また、図２に示すように、端子固定部１２の、筐体２１の内部側（Ｙ１方向側）には、配線２２ａを筐体２１内から筐体２１外へ配線するための開口２４が設けられている。開口２４は、端子固定部本体部１３と接地面２３ｂとの間に設けられている。言い換えると、開口２４は、接地面２３ｂの上方に配置された端子固定部本体部１３と、接地面２３ｂとの間の隙間により形成されている。
【００４８】
また、第１実施形態では、図４に示すように、接地面２３ｂには、端子固定部１２側（Ｚ１方向側）に突出する突起部２３ｃが設けられている。突起部２３ｃは、圧着端子２２ｂに設けられた孔部２２ｃに係合されるように構成されている。端子固定部１２は、突起部２３ｃが孔部２２ｃに係合された状態で、接地面２３ｂとにより圧着端子２２ｂを挟み込む（固定する）ように構成されている。なお、突起部２３ｃは、特許請求の範囲の「接地面側突起部」の一例である。
【００４９】
具体的には、図５に示すように、圧着端子２２ｂの孔部２２ｃは、略円形形状を有しているとともに、突起部２３ｃは、略円柱形状を有している。圧着端子２２ｂの孔部２２ｃの直径ｒ１は、突起部２３ｃの直径ｒ２よりも大きい。
【００５０】
また、突起部２３ｃの上面２３ｄの外周縁には、周状に面取り加工された面取り部２３ｅが設けられている。
【００５１】
また、接地面２３ｂには、突起部２３ｃを取り囲むように設けられる凹部２３ｆが設けられている。凹部２３ｆは、先端側（Ｙ１方向側）の部分が円弧形状を有する圧着端子２２ｂの形状に合わせて、筐体２１の内部側（Ｙ１方向側）の部分が円弧形状を有するように形成されている。凹部２３ｆの円弧部分の直径ｒ３は、圧着端子２２ｂの円弧部分の直径ｒ４よりも大きい。なお、凹部２３ｆの円弧部分の直径ｒ３と圧着端子２２ｂの円弧部分の直径ｒ４との差分（ｒ３−ｒ４）は、孔部２２ｃの直径ｒ１と突起部２３ｃの直径ｒ２との差分（ｒ１−ｒ２）よりも大きい（ｒ３−ｒ４＞ｒ１−ｒ２）。
【００５２】
ここで、第１実施形態では、凹部２３ｆは、圧着端子２２ｂが凹部２３ｆに配置されるとともに孔部２２ｃが突起部２３ｃに係合された状態で、凹部２３ｆのうちの少なくとも一部により圧着端子２２ｂを位置決めするように構成されている。端子固定部１２は、突起部２３ｃが孔部２２ｃに係合されるとともに凹部２３ｆに圧着端子２２ｂが配置され、凹部２３ｆのうちの少なくとも一部により圧着端子２２ｂが位置決めされた状態で、接地面２３ｂとにより圧着端子２２ｂを挟み込む（固定する）ように構成されている。
【００５３】
具体的には、凹部２３ｆは、筐体２１の内部側とは反対側（Ｙ２方向側）に向かって先細るように形成されている。そして、圧着端子２２ｂは、圧着端子２２ｂが凹部２３ｆに配置された状態で、凹部２３ｆの（Ｙ２方向側の）端部２３ｇに当接する。これにより、端部２３ｇにより、凹部２３ｆに配置された圧着端子２２ｂの、Ｙ２方向側への移動が規制される。なお、圧着端子２２ｂをガイド部分１２ｂに沿って凹部２３ｆに配置される（凹部２３ｆから抜き出される）場合には、圧着端子２２ｂと端部２３ｇとの干渉を回避することが可能である。
【００５４】
また、固定部分１２ａ（図５では一点鎖線で図示）のＸ方向の幅Ｗ１、および、ガイド部分１２ｂ（図５では一点鎖線で図示）のＸ方向の幅Ｗ２は略等しい。そして、固定部分１２ａの幅Ｗ１およびガイド部分１２ｂの幅Ｗ２は、凹部２３ｆ（圧着端子２２ｂ）の円弧部分の直径ｒ３（ｒ４）よりも大きい。これにより、平面視において（Ｚ１方向側から見て）、凹部２３ｆ（圧着端子２２ｂ）は、固定部分１２ａ（ガイド部分１２ｂ）からＸ方向にはみ出さないように設けられている。なお、平面視において（Ｚ１方向側から見て）、固定部分１２ａの端部１２ｆ（固定部分１２ａとガイド部分１２ｂとの接続箇所）は、突起部２３ｃの中央近傍と重なるように位置している。
【００５５】
また、図６に示すように、圧着端子２２ｂの厚みｔ１は、突起部２３ｃの厚みｔ２（凹部２３ｆの深さｄ１）よりも小さい。この場合、圧着端子２２ｂが凹部２３ｆに配置された状態では、圧着端子２２ｂと固定部分１２ａとの間に所定の大きさの隙間Ｃが設けられる。隙間Ｃの上下方向（Ｚ方向）の長さＬ４は、１ｍｍ以下である。なお、端子固定部１２（固定部分１２ａ）と接地面２３ｂとにより圧着端子２２ｂを挟み込むとは、圧着端子２２ｂが、端子固定部１２（固定部分１２ａ）と接地面２３ｂとの間に挿入された場合に、端子固定部１２（固定部分１２ａ）と圧着端子２２ｂとの間、および、接地面２３ｂと圧着端子２２ｂとの間の少なくとも一方に、僅かな（１ｍｍ以下の）隙間が形成された状態をも含む広い意味である。
【００５６】
ここで、図７を参照して、圧着端子２２ｂの端子固定部１２への取り付け方法について説明する。図７に示すように、圧着端子２２ｂの先端がガイド部分１２ｂに押し付けられながら、圧着端子２２ｂはガイド部分１２ｂの傾斜に倣って挿入される。この際、圧着端子２２ｂは、端子固定部１２（ガイド部分１２ｂおよび固定部分１２ａ）を筐体２１の内部側（Ｙ１方向側）に撓ませながら、筐体２１の内部側（Ｙ１方向側）に挿入される。
【００５７】
次に、図８を参照して、圧着端子２２ｂの端子固定部１２からの取り外し方法について説明する。図８に示すように、圧着端子２２ｂが上方（Ｚ１方向側）に持ち上げられることにより、端子固定部１２（ガイド部分１２ｂおよび固定部分１２ａ）は筐体２１の内部側（Ｙ１方向側）に撓ませられる。そして、端子固定部１２が撓んだ状態で、圧着端子２２ｂは筐体２１の内部側とは反対側（Ｙ２方向側）に引き抜かれる。
【００５８】
［第１実施形態の効果］
第１実施形態では、以下のような効果を得ることができる。
【００５９】
第１実施形態では、上記のように、端子台本体部１１とは別個に装置に設けられ、筐体２１とにより圧着端子２２ｂを挟み込むことによって圧着端子２２ｂを固定する、弾性変形可能な端子固定部１２を備えるように、端子台１０を構成する。これにより、端子台本体部１１とは別個に装置に設けられた端子固定部１２が備えられることにより、回生抵抗器２２とは異なる電気機器の端子を端子台本体部１１に接続させる場合に、端子台本体部１１から取り外された圧着端子２２ｂがインバータ装置２０の活電部に接触しないように圧着端子２２ｂを端子固定部１２により固定することができる。また、端子固定部１２を弾性変形させることによって筐体２１と端子固定部１２とにより圧着端子２２ｂを挟み込むだけで、圧着端子２２ｂを固定することができる。これにより、圧着端子２２ｂと上記活電部との接触を防止するために、圧着端子２２ｂに絶縁性のテープを巻き付けたり、圧着端子２２ｂをねじ固定する場合に比べて、作業を簡素化することができる。その結果、端子台本体部１１に接続される端子を回生抵抗器２２の圧着端子２２ｂから他の電気機器の端子に交換する際の作業が煩雑化するのを抑制することができる。
【００６０】
また、第１実施形態では、上記のように、端子固定部１２が、接地電位に固定されている接地面２３ｂとにより圧着端子２２ｂを挟み込むことにより、圧着端子２２ｂを固定するように、端子台１０を構成する。これにより、圧着端子２２ｂの電位を接地電位に固定しながら、端子固定部１２により圧着端子２２ｂを固定することができる。
【００６１】
また、第１実施形態では、上記のように、端子固定部１２が、接地面２３ｂとにより圧着端子２２ｂを挟み込む固定部分１２ａと、固定部分１２ａから端子固定部１２の先端１２ｄ側に向かって、接地面２３ｂと離間する方向に傾斜するように延びるとともに圧着端子２２ｂをガイドするガイド部分１２ｂと、を有するように、端子台１０を構成する。これにより、ガイド部分１２ｂにより、固定部分１２ａと接地面２３ｂとの間に圧着端子２２ｂを挿入する作業を容易化することができる。
【００６２】
また、第１実施形態では、上記のように、端子固定部１２が、端子固定部本体部１３から複数に分岐されるとともに分岐された部分の各々に、固定部分１２ａおよびガイド部分１２ｂが設けられるように、端子台１０を構成する。これにより、複数の圧着端子２２ｂを、分岐された部分の各々に設けられる固定部分１２ａにより固定することができる。また、分岐された部分の各々に設けられるガイド部分１２ｂにより、各々の固定部分１２ａと接地面２３ｂとの間に圧着端子２２ｂを挿入する作業を容易化することができる。
【００６３】
また、固定部分１２ａと接地面２３ｂとの間に挿入するだけで圧着端子２２ｂを容易に固定することができるので、圧着端子２２ｂに絶縁テープを巻き付けたり、圧着端子２２ｂをねじにより固定する場合等に比べて、ユーザは、複数の圧着端子２２ｂを把持した状態で作業を容易に行うことができる。その結果、ユーザの作業時間を短縮することができる。
【００６４】
また、第１実施形態では、上記のように、接地面２３ｂから端子固定部１２側に突出するように設けられる突起部２３ｃが、圧着端子２２ｂに設けられた孔部２２ｃに係合された状態で、端子固定部１２が、接地面２３ｂとにより圧着端子２２ｂを挟み込むように、端子台１０を構成する。これにより、突起部２３ｃに対する圧着端子２２ｂの孔部２２ｃとの係合により、圧着端子２２ｂの移動が規制されるので、突起部２３ｃが設けられていない場合に比べて、圧着端子２２ｂをより安定的に固定することができる。
【００６５】
また、第１実施形態では、上記のように、突起部２３ｃが圧着端子２２ｂの孔部２２ｃに係合されるとともに、凹部２３ｆに圧着端子２２ｂが配置され、凹部２３ｆのうちの少なくとも一部により圧着端子２２ｂが位置決めされた状態で、端子固定部１２が、接地面２３ｂとにより圧着端子２２ｂを挟み込むように、端子台１０を構成する。これにより、突起部２３ｃおよび凹部２３ｆの両方により圧着端子２２ｂの移動を規制することができるので、圧着端子２２ｂをより一層安定的に固定することができる。
【００６６】
また、第１実施形態では、上記のように、端子固定部１２が、絶縁性の樹脂により形成されるように、端子台１０を構成する。これにより、端子固定部１２を介して、圧着端子２２ｂから他の部分に端子固定部１２を介して電流が流れるのを抑制することができる。
【００６７】
また、圧着端子２２ｂを端子固定部１２により固定することにより、圧着端子２２ｂに絶縁テープを巻き付ける場合に比べて、作業者によるばらつきが生じるのを抑制することができるので、圧着端子２２ｂの絶縁性にばらつきが生じるのを抑制することができる。
【００６８】
また、第１実施形態では、上記のように、端子台本体部１１とは別個に設けられ、筐体２１とにより圧着端子２２ｂを挟み込みことによって圧着端子２２ｂを固定する、弾性変形可能な端子固定部１２を備えるように、インバータ装置２０を構成する。これにより、端子台本体部１１とは別個に装置に設けられた端子固定部１２が備えられることにより、回生抵抗器２２とは異なる電気機器の端子を端子台本体部１１に接続させる場合に、端子台本体部１１から取り外された圧着端子２２ｂがインバータ装置２０の活電部に接触しないように圧着端子２２ｂを端子固定部１２により固定することができる。また、端子固定部１２を弾性変形させることによって筐体２１と端子固定部１２とにより圧着端子２２ｂを挟み込むだけで、圧着端子２２ｂを固定することができる。これにより、圧着端子２２ｂと上記活電部との接触を防止するために、圧着端子２２ｂに絶縁性のテープを巻き付けたり、圧着端子２２ｂをねじ固定する場合に比べて、作業を簡素化することができる。その結果、端子台本体部１１に接続される端子を回生抵抗器２２の圧着端子２２ｂから他の電気機器の端子に交換する際の作業が煩雑化するのを抑制することが可能なインバータ装置２０を提供することができる。
【００６９】
また、第１実施形態では、上記のように、接地面２３ｂに、端子固定部１２側に突出するとともに、圧着端子２２ｂに設けられた孔部２２ｃに係合される突起部２３ｃが設けられるように、インバータ装置２０を構成する。これにより、突起部２３ｃに対する圧着端子２２ｂの孔部２２ｃとの係合により、圧着端子２２ｂの移動が規制されるので、突起部２３ｃが設けられていないインバータ装置に比べて、圧着端子２２ｂがより安定的に固定されるインバータ装置２０を提供することができる。
【００７０】
また、第１実施形態では、上記のように、凹部２３ｆが、圧着端子２２ｂが凹部２３ｆに配置されるとともに孔部２２ｃが突起部２３ｃに係合された状態で、凹部２３ｆのうちの少なくとも一部により圧着端子２２ｂを位置決めするように、インバータ装置２０を構成する。これにより、突起部２３ｃおよび凹部２３ｆの両方により圧着端子２２ｂの移動を規制することができるので、圧着端子２２ｂをより一層安定的に固定することが可能なインバータ装置２０を提供することができる。
【００７１】
［第２実施形態］
次に、図６および図９を参照して、第２実施形態による端子台１１０の構成についてについて説明する。第２実施形態の端子台１１０では、接地面２３ｂに突起部２３ｃが設けられている上記第１実施形態と異なり、端子固定部１２０に突起部１２０ｃが設けられている。なお、上記第１実施形態と同様の構成は、第１実施形態と同じ符号を付して図示するとともに説明を省略する。
【００７２】
（端子台の構成）
図９に示すように、端子台１１０は、端子固定部１２０を備える。端子固定部１２０は、放熱板１２３の接地面１２３ｂとにより圧着端子２２ｂを挟み込む固定部分１２０ａを有する。また、端子固定部１２０は、圧着端子２２ｂをガイドする１２０ｂを有する。固定部分１２０ａは、ガイド部分１２０ｂに接続されている。
【００７３】
ここで、第２実施形態では、固定部分１２０ａの接地面１２３ｂ側（Ｚ２方向側）には、圧着端子２２ｂに設けられた孔部２２ｃに係合される突起部１２０ｃが設けられている。具体的には、突起部１２０ｃは、固定部分１２０ａの接地面１２３ｂ側（Ｚ２方向側）の面１２０ｄから接地面１２３ｂ側（Ｚ２方向側）に突出している。突起部１２０ｃは、略円柱形状を有している。なお、突起部１２０ｃは、特許請求の範囲の「端子固定部側突起部」の一例である。
【００７４】
圧着端子２２ｂは、突起部１２０ｃが圧着端子２２ｂの孔部２２ｃに係合された状態で、端子固定部１２０と接地面１２３ｂとに挟み込まれることにより固定される。
【００７５】
また、突起部１２０ｃの厚みｔ３は、凹部１２３ｆの深さｄ２以下である。なお、凹部１２３ｆの深さｄ２は、圧着端子２２ｂの厚みｔ１（図６参照）よりも大きい。
【００７６】
なお、第２実施形態のその他の構成は、上記第１実施形態と同様である。
【００７７】
（第２実施形態の効果）
第２実施形態では、以下のような効果を得ることができる。
【００７８】
第２実施形態では、上記のように、固定部分１２０ａの接地面１２３ｂ側に、圧着端子２２ｂに設けられた孔部２２ｃに係合される突起部１２０ｃが設けられるように、端子台１１０を構成する。これにより、突起部１２０ｃとの係合により圧着端子２２ｂの移動が規制されるので、突起部１２０ｃが設けられていない場合に比べて、圧着端子２２ｂをより安定的に固定することができる。
【００７９】
なお、第２実施形態のその他の効果は、上記第１実施形態と同様である。
【００８０】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８１】
たとえば、上記第１および第２実施形態では、筐体２１の外部の回生抵抗器１０１（外部電気機器）が、端子台本体部１１に接続される例を示したが、本発明はこれに限られない。たとえば、筐体２１の内部の回生抵抗器２２（内部電気機器）とは異なる、筐体２１の内部に配置される回生抵抗器が、端子台本体部１１に接続されてもよい。
【００８２】
また、上記第１および第２実施形態では、端子台本体部１１から取り外された回生抵抗器２２（内部電気機器）の圧着端子２２ｂ（内部電気機器用端子）が、端子固定部（１２、１２０）に固定される例を示したが、本発明はこれに限られない。端子台本体部１１から取り外された回生抵抗器以外の電気機器（たとえばリアクトル）の端子が、端子固定部１２（１２０）に固定される構成であってもよい。
【００８３】
また、上記第１および第２実施形態では、圧着端子２２ｂ（内部電気機器用端子）が、端子固定部１２（１２０）と接地面２３ｂ（１２３ｂ）とにより挟まれる例を示したが、本発明はこれに限られない。圧着端子２２ｂ（内部電気機器用端子）が接触することに起因してインバータ装置２０（電力変換装置、装置）の動作が異常にならないのであれば、圧着端子２２ｂ（内部電気機器用端子）が、端子固定部１２（１２０）と非接地部分（接地電位とは異なる電位を有する部分）とにより挟まれてもよい。
【００８４】
また、上記第１および第２実施形態では、圧着端子２２ｂ（内部電気機器用端子）が、端子固定部１２（１２０）と、放熱板２３（導電体）に設けられる接地面２３ｂ（１２３ｂ）とにより挟まれる例を示したが、本発明はこれに限られない。圧着端子２２ｂ（内部電気機器用端子）が、端子固定部１２（１２０）と、絶縁体とにより挟まれてもよい。
【００８５】
また、上記第１および第２実施形態では、端子固定部１２（１２０）が、端子固定部本体部１３から複数（２つ）に分岐されている例を示したが、本発明はこれに限られない。端子固定部１２（１２０）が、１つだけ設けられている構成であってもよい。この場合、１つの端子固定部１２（１２０）により、複数の圧着端子２２ｂ（内部電気機器用端子）を固定してもよい。また、端子固定部１２（１２０）が、３つ以上設けられていてもよい。
【００８６】
また、上記第１実施形態では、突起部２３ｃ（接地面側突起部）が設けられる例を示したが、本発明はこれに限られない。突起部２３ｃ（接地面側突起部）が設けられていなくてもよい。この場合、接地面２３ｂに凹部２３ｆが設けられていなくてもよい。
【００８７】
また、上記第１および第２実施形態では、端子固定部１２（１２０）が、絶縁性である例を示したが、本発明はこれに限られない。端子固定部１２（１２０）が導電性であってもよい。
【００８８】
また、上記第１および第２実施形態では、インバータ装置２０（電力変換装置）に端子台１１（１１０）が設けられる例を示したが、本発明はこれに限られない。インバータ装置２０以外の装置（たとえばコンバータ装置）に端子台１１（１１０）が設けられていてもよい。
【００８９】
また、上記第１および第２実施形態では、接地面２３ｂ（１２３ｂ）が水平方向に延びる例を示したが、本発明はこれに限られない。たとえば、接地面２３ｂ（１２３ｂ）が上下方向に延びるように設けられていてもよい。
【００９０】
また、上記第１および第２実施形態では、端子固定部１２（１２０）は、接続部分１２ｃを含む例を示したが、本発明はこれに限られない。たとえば、端子固定部１２（１２０）は、接続部分１２ｃを含んでいなくてもよい。
【００９１】
また、上記第１および第２実施形態では、孔部２２ｃが設けられた丸型の圧着端子２２ｂ（内部電気機器用端子）が、端子固定部１２（１２０）により固定される例を示したが、本発明はこれに限られない。たとえば、孔部が設けられていない圧着端子（たとえば、切り欠きが設けられるＹ型形状の端子等）が、端子固定部１２（１２０）により固定されるように構成されていてもよい。また、圧着端子以外の端子（たとえばＵＳＢ端子）が端子固定部１２（１２０）により固定されてもよい。
【符号の説明】
【００９２】
１０、１１０  端子台
１１  端子台本体部
１２、１２０  端子固定部
１２ａ  固定部分
１２ｂ  ガイド部分
１２ｄ  先端
１３  端子固定部本体部
２０  インバータ装置（装置）（電力変換装置）
２１  筐体
２２  回生抵抗器（内部電気機器）
２２ａ  配線（内部電気機器用配線）
２２ｂ  圧着端子（内部電気機器用端子）
２２ｃ  孔部
２３  放熱板（導電体）
２３ｂ  接地面
２３ｃ  突起部（接地面側突起部）
２３ｆ、１２３ｆ  凹部
１２０ｃ  突起部（端子固定部側突起部）
【図１】
2020149809.tif 000003
【図２】
2020149809.tif 000004
【図３】
2020149809.tif 000005
【図４】
2020149809.tif 000006
【図５】
2020149809.tif 000007
【図６】
2020149809.tif 000008
【図７】
2020149809.tif 000009
【図８】
2020149809.tif 000010
【図９】
2020149809.tif 000011